(57)【要約】【課題】短期間で、タイル壁の補修が可能であるタイル壁の補修方法を提供する。【解決手段】多数のタイルが貼られて形成されるタイル壁の一部に、破損あるいは劣化している欠陥タイルを含む場合に、前記欠陥タイルを、補修タイル１３に交換することで、前記タイル壁を補修するタイル壁の補修方法である。前記欠陥タイルのタイル表面の模様に相当する模様（塗装層１３ｂ）を、印刷機１１を用いて補修タイル１３となるベースタイル１３ａの表面に予め印刷する印刷工程Ｓ３と、前記欠陥タイルを取り除き、印刷後の補修タイル１３を貼り付ける補修工程Ｓ５とを含む。【選択図】図１
2018184737.tif 000002
【特許請求の範囲】
【請求項１】
多数のタイルが貼られて形成されるタイル壁の一部が、破損あるいは劣化している欠陥タイルとなっている場合に、前記欠陥タイルを補修タイルに交換することで、前記タイル壁を補修するタイル壁の補修方法であって、
前記欠陥タイルあるいは欠損していないタイルのタイル表面の模様に基づいて、前記欠陥タイルのタイル表面の模様に対応する模様を印刷する印刷条件を決定し、前記印刷条件により印刷機を用いてベースタイルの表面に模様を印刷して、前記補修タイルを形成する印刷工程と、
前記タイル壁から前記欠陥タイルを取り除き、前記補修タイルを貼り付ける補修工程と、
を備えることを特徴とするタイル壁の補修方法。
【請求項２】
前記印刷機は、制御装置にて印刷が制御されるものであり、
さらに、前記欠陥タイルのタイル表面の模様に対応する模様を持つ前記欠損していないタイルのタイル表面の模様についての画像データを、スキャニングあるいは撮影により前記制御装置に取込む取込み工程を含み、
前記印刷工程において、前記制御装置が、前記画像データに基づき前記印刷条件を決定し、その印刷条件に基づいて前記印刷機により前記ベースタイルの表面に模様を印刷する、
請求項１に記載のタイル壁の補修方法。
【請求項３】
前記印刷工程に先だって、
温度を検出する温度検出手段と、湿度を検出する湿度検出手段とにより、周囲の温度と湿度を検出し、周囲の温度や湿度により前記印刷条件を補正する、補正工程をさらに備える、
請求項２に記載のタイル壁の補修方法。
【請求項４】
前記制御装置は、
前記印刷機が設置されている周囲の温度を検出する前記温度検出手段と、
前記印刷機が設置されている周囲の湿度を検出する前記湿度検出手段と、
前記温度検出手段および湿度検出手段からの信号を受け、前記周囲の温度や湿度の影響をなくすように前記印刷条件を補正して、補正印刷条件を決定する補正手段と、を有し、
前記補正工程は、前記補正手段により前記補正印刷条件を決定し、前記印刷条件を前記補正印刷条件とする補正工程である、
請求項３に記載のタイル壁の補修方法。
【請求項５】
前記印刷工程に続いて、印刷後の前記補修タイルの表面にトップコート塗装する塗装工程をさらに備える、
請求項１乃至請求項４のいずれか１項に記載のタイル壁の補修方法。
【請求項６】
前記印刷工程での印刷は、インクジェット方式のプリンタによって行う、
請求項１乃至請求項５のいずれか１項に記載のタイル壁の補修方法。
【請求項７】
前記印刷工程での印刷は、揮発性の有機溶剤を主成分とするインクを用いる、
請求項６に記載のタイル壁の補修方法。
【発明の詳細な説明】
【技術分野】
【０００１】
本発明は、タイル壁の補修方法に関するものである。
【背景技術】
【０００２】
従来、多数のタイルが貼られて形成されるタイル壁の一部が、破損あるいは劣化している場合に、破損や劣化していない他のタイル（つまり、破損あるいは劣化する前のタイル）と同じ色彩や模様のタイルを、特注により製造している。特注しても、同じ色や同じ模様のタイルを製造するのは極めて困難であった。これは、タイルは、色彩や模様を塗工した後に焼成して製造されるため、仮に同じ色や模様で塗工しても、焼成後に色が変わってしまうため、同じ色や同じ模様のタイルを製造するのが極めて困難なためである。
【０００３】
従って、従来は、色彩や模様が近いタイルを使用していたが、補修タイルが目立つため、美観が損なわれていた。また、納期も非常に長くなっていた（例えば、３ヶ月程度）。
【０００４】
また、別の方法として、白いタイルに色彩や模様を職人が描いて、タイルを製造するものが知られている（株式会社ヤグチ技工のクローンタイル）。これにより、他のタイルと同色や同模様のタイルを製造することが可能となるが、納期が長くなる。そして、必要とされるタイルの枚数が多くなると、さらに納期が長くなることになる（例えば３週間〜３ヶ月）。
【０００５】
ところで、焼成により陶磁器などの表面に定着する性質のインクジェットプリンター用インクを使用し、陶磁器などの絵付けをする方法が知られている（例えば、特許文献１参照）。
【０００６】
その方法は、前記インクジェットプリンター用インクが定着するより低い温度で焼失する性質の粉体を同性質の接着剤で貼り付けて絵付け面に薄い定着層を形成する前処理工程、絵付け面にインクジェットプリンターでインクジェットプリンター用インクを噴射し、定着層に該インクジェットプリンター用インクを吸着させて任意の文字や図形などを印刷する印刷工程、陶磁器などを焼成して定着層を焼失させ、絵付け面にインクジェットプリンター用インクを定着させる仕上げ工程とを含む。
【先行技術文献】
【特許文献】
【０００７】
【特許文献１】特開平８−２５３３５８号公報
【発明の概要】
【発明が解決しようとする課題】
【０００８】
しかし、従来のタイル壁の補修方法では、焼成前後でタイルの色が変わるため補修タイルの形成が非常に困難であること、納期が３週間〜３ヶ月など長くかかることなどの課題があった。また、従来は十分に色合わせされていない、色が異なるタイルをそのまま貼り付けられることもあった。また、特許文献１についても、焼成工程を含むものであり、焼成前後でタイルの色が変わるため補修タイルの形成が非常に困難である。また、職人がタイルに塗装する補修方法も、納期が長くなることやコストがかかるなどの課題があった。
【０００９】
本発明は、短期間で、タイル壁の補修が可能であるタイル壁の補修方法を提供することを目的とする。
【課題を解決するための手段】
【００１０】
本発明に係る一の態様のタイル壁の補修方法は、多数のタイルが貼られて形成されるタイル壁の一部が、破損あるいは劣化している欠陥タイルとなっている場合に、前記欠陥タイルを、補修タイルに交換することで、前記タイル壁を補修するタイル壁の補修方法であって、前記欠陥タイルあるいはその周囲のタイルのタイル表面の模様に基づいて、前記欠陥タイルのタイル表面の模様に対応する模様を印刷する印刷条件を決定し、前記印刷条件でもって印刷機を用いてベースタイルの表面に前記模様を印刷して、前記補修タイルを形成する印刷工程と、前記タイル壁から前記欠陥タイルを取り除き、前記補修タイルを貼り付ける補修工程とを含むことを特徴とする。ここで、模様には、無模様（つまりタイル表面が単一色）である場合が含まれる。また、印刷条件とは、印刷に用いる塗料の種類、各塗料の使用量（吐出量）など、印刷するために必要とされる各種条件である。
【００１１】
このようにすれば、タイル表面の模様を印刷機にて印刷により再現した補修タイルを用いて補修するので、高い再現性を維持しつつ、タイル壁の補修を短期間で、かつ安価に行うことができる。
【００１２】
また、このタイル浮きの補修器具は、前記印刷機が、制御装置にて印刷が制御されるものであり、さらに、前記欠陥タイルのタイル表面の模様に対応する模様を持つ前記周囲のタイルのタイル表面の模様についての画像データを、スキャニングあるいは撮影により前記制御装置に取込む取込み工程を含み、前記印刷工程において、前記制御装置が、前記画像データに基づき、前記印刷条件を決定し、その印刷条件に基づいて、印刷する、ことが望ましい。
【００１３】
このようにすれば、欠陥タイルのタイル表面の模様に対応する模様を持つ前記周囲のタイルのタイル表面の模様についての画像データに基づいて印刷するので、タイル壁を、破損あるいは劣化する前の状態に近づけることができる。
【００１４】
また、このタイル浮きの補修器具は、前記印刷工程に先だって、温度を検出する温度検出手段と、湿度を検出する湿度検出手段とにより、周囲の温度と湿度を検出し、周囲の温度や湿度により前記印刷条件を補正する補正工程をさらに備えることが好ましい。このようにすれば、塗料の色の発現具合が、温度や湿度などの環境条件により微妙に変化するのを補正することができる。
【００１５】
より好ましくは、この場合、前記制御装置が、前記印刷機が設置されている周囲の温度を検出する前記温度検出手段と、前記印刷機が設置されている周囲の湿度を検出する前記湿度検出手段と、前記温度検出手段および湿度検出手段からの信号を受け、前記周囲の温度や湿度の影響をなくすように前記印刷条件を補正して、補正印刷条件を決定する補正手段と、を有し、前記補正工程は、前記補正手段により前記補正印刷条件を決定し、前記印刷条件を前記補正印刷条件とする補正工程である。このようにすれば、温度や湿度などの環境条件により微妙に変化する塗料の色の発現具合を容易に補正することができる。
【００１６】
また、このタイル浮きの補修器具は、前記印刷工程に続いて、印刷後の前記補修タイルの表面にトップコート塗装する塗装工程を備える、ことが望ましい。このようにすれば、トップコートによって印刷面が保護される。
【００１７】
また、このタイル浮きの補修器具は、前記印刷工程での印刷が、インクジェット方式のプリンタによって行う。このようにすれば、タイル表面への印刷を簡単に行うことができ、納期やコストを従来よりも低減できる。
【００１８】
この場合、前記印刷工程での印刷は、揮発性の有機溶剤を主成分とするインクを用いることが望ましい。このようにすれば、インクが乾燥することにより、インクが媒体にしっかりと定着する。
【発明の効果】
【００１９】
本発明は、タイル表面の色彩や模様を印刷機にて印刷により再現した補修タイルを用いて補修するので、高い再現性を維持しつつ、タイル壁の補修を短期間で、かつ安価に行うことができる。
【図面の簡単な説明】
【００２０】
【図１】本発明に係るタイル壁の補修方法の説明図である。
【図２】印刷工程の説明図である。
【図３】補修タイルの説明図である。
【発明を実施するための形態】
【００２１】
以下、図面に基づいて本発明の実施の形態を説明する。図１は本発明に係るタイル壁の補修方法の説明図である。
【００２２】
図１に示すように、本発明に係るタイル壁の補修方法は、多数のタイルが貼られて形成されるタイル壁の一部に、破損あるいは劣化している欠陥タイルが含まれる場合に、前記欠陥タイルを、補修タイル（新しいタイル）に交換することで、前記タイル壁を補修するタイル壁の補修方法であって、取込み工程Ｓ１と、補正工程Ｓ２と、印刷工程Ｓ３と、塗装工程Ｓ４と、補修工程Ｓ５とを含む。
【００２３】
（取込み工程Ｓ１）
前記欠陥タイルのタイル表面の模様に対応する模様を持つ、前記欠陥タイルの周囲のタイルのタイル表面の模様についての画像データをスキャニングあるいは撮影により取得する。
【００２４】
この画像データは、図２に示すように、印刷機１１による印刷を制御する制御装置であるパソコン１２に取り込み、パソコン１２において、取り込んだ画像データに（前記タイル表面の模様）に基づき、前記タイル表面の印刷についての印刷条件を決定する（印刷条件決定手段１２ａ）。ここで、印刷条件とは、印刷に用いる塗料の種類、各塗料の使用量（吐出量）など、印刷するために必要とされる各種条件である。
【００２５】
この画像データの取込みは必ずしも必要なく、欠陥タイルの色彩や模様に基づいてパソコン１２において、印刷条件を決めるようにしてもよい。
【００２６】
（補正工程Ｓ２）
パソコン１２は、前記印刷条件を補正して、補正印刷条件を決定する補正手段１２ｂを有する。この補正手段１２ｂは、印刷機１１が設置されている周囲の温度を検出する温度センサ１４（温度検出手段）と、前記周囲の湿度を検出する湿度検出センサ１５（湿度検出手段）とからの信号を受け、前記周囲の温度や湿度の影響をなくすように、前記印刷条件を補正して、補正印刷条件を決定するものである。
【００２７】
この場合、より再現性を高めるために、タイルの種類に応じて、予め蓄積されたタイル（材料）と印刷状態との関係についてのデータなどに基づいて前記印刷条件を補正することも可能である。このような補正により、パソコン１２のディスプレイ上に表示される画像と、実際に印刷されたタイル表面の画像とのずれを修正することもできる。
【００２８】
このように、印刷条件を補正することで、補修タイルの色彩や模様が、破損あるいは劣化する前の元のタイルの色彩や模様により近い状態となるように印刷することができる。つまり、いわゆる色合わせを精度よくすることができる。
【００２９】
なお、必須の工程ではないが、設定した印刷条件や補正印刷条件について、ベースタイルに印刷し、劣化前の元のタイルのサンプルと比較して、色彩や模様の色合わせが十分かどうかを確認し、これら設定条件を微調整することがより好ましい。この工程は複数回行ってもよい。
【００３０】
（印刷工程Ｓ３）
印刷機１１は、パソコン１２によって制御され、前記印刷条件（補正印刷条件）に基づいて、前記欠陥タイルのタイル表面の模様に対応する模様を、図２に示すように、印刷機１１を用いて補修タイル１３のベースタイル１３ａの表面に印刷し、塗装層１３ｂを形成する。
【００３１】
具体的には、まず、コーティング材を、印刷面であるベースタイル１３ａのタイル表面表面に軽く吹き付け薄い皮膜を形成する。その後、３分程度自然乾燥させ、その上に、前記印刷条件に基づき、元のタイル（欠陥タイル）のタイル表面の模様に対応する模様を印刷して、塗装層１３ｂとする。
【００３２】
ここで、ベースタイル１３ａは、陶磁器、エポキシ、弾性材などであってもよく、材質は特に制限されない。また、そのまま模様（単一色の無模様の場合を含む）がのるタイルを用いることができるし、表面を火であぶる（焼成する）ことでインクがのるタイルを用いることもできる。
【００３３】
この印刷機１１としては、被印刷物（例えば、ベースタイル１３ａ）を印刷機１１の印刷部に対して相対移動させることで印刷を行うインクジェット方式のプリンタが用いられる。印刷は、印刷機１１に接続されたパソコン１２によって制御されるが、印刷機１１が内蔵する制御装置によって印刷を制御するようにしてもよい。なお、インクジェット方式のプリンタには、一例としてインクジェットマイクロピエゾ方式のプリンタを用いる。また、インクには、一例として揮発性の有機溶剤を主成分とするインクを用いる。
【００３４】
（塗装工程Ｓ４）
ベースタイル１３ａの表面に印刷された塗装層１３ｂの上側に、トップコート塗装をして、表面層１３ｃを形成する。これにより、耐久性を向上させることができる。ここで、トップコートに用いる塗料は、クリア塗料でもマット塗料でもよく、また、必要に応じて、例えば室内のタイル壁などの場合には、トップコート塗装自体を省略することも可能である。
【００３５】
（補修工程Ｓ５）
前記欠陥タイルを取り除き、その取り除いた部分に補修タイル１３を貼り付ける。これにより補修作業が終了する。なお、欠陥タイルを取り除く工程は、補修工程Ｓ５より前にあらかじめ行うこととしてもよい。
【００３６】
（その他の実施形態）
以上のとおり、図面を参照しながら本発明の好適な実施形態を説明したが、本発明の趣旨を逸脱しない範囲内で、種々の追加、変更または削除が可能である。例えば、前記欠陥タイルあるいはその周囲のタイルのタイル表面の模様についての画像データを取り込むことなく、それら模様を視覚的に見て、パソコン１１上において、温度、湿度、タイルの材質などを考慮して印刷条件を決定することも可能である。また、パソコン（制御装置）を用いることなく、印刷機に制御装置の機能を持たせることも可能である。
【符号の説明】
【００３７】
Ｓ１  取込み工程
Ｓ２  補正工程
Ｓ３  印刷工程
Ｓ４  塗装工程
Ｓ５  補修工程
１１  印刷機
１２  パソコン
１２ａ  印刷条件決定手段
１２ｂ  補正手段
１３  補修タイル
１３ａ  ベースタイル
１３ｂ  塗装層
１３ｃ  表面層
１４  温度センサ
１５  湿度センサ
【図１】
2018184737.tif 000003
【図２】
2018184737.tif 000004
【図３】
2018184737.tif 000005